(57)【要約】      （修正有）【課題】簡単に使用することができ、構造が複雑ではない美顔器具を提供する。【解決手段】柔軟性を有する複数の球体部１１と、球体部を支持する基部２１、２２、２３と、基部に設けられるとともに、各球体部を所定位置に位置決めする位置決め部と、を備える。各基部は１２０度間隔で配置され、使用者の顔面の所定位置を各球体部に配置して、使用者の頭部の重量によって顔面を各球体部に押圧して刺激する。【選択図】図１
0003222946.tif 000002
【実用新案登録請求の範囲】
【請求項１】
柔軟性を有する複数の球体部と、
前記球体部を支持する基部と、
前記基部に設けられるとともに、前記各球体部を所定位置に位置決めする位置決め部と、を備え、
使用者の顔面の所定位置を前記各球体部に配置して、前記使用者の頭部の重量によって前記使用者の顔面を前記各球体部に押圧して刺激する
ことを特徴とする美顔器具。
【請求項２】
前記位置決め部は、断面が円弧形状で、前記球体部を嵌め込み可能な凹部からなる
ことを特徴とする請求項１に記載の美顔器具。
【請求項３】
前記球体部は、突起部を備えており、
前記位置決め部は、前記突起部を差し込み可能な穴部からなる
ことを特徴とする請求項１に記載の美顔器具。
【請求項４】
前記基部に設けられた複数の支持部を備え、
前記支持部は、伸縮自在に構成される
ことを特徴とする請求項１〜３のいずれかに記載の美顔器具。
【請求項５】
３つの前記基部を備えており、
前記各基部は、１２０度間隔で配置されており、
前記各基部に設けられた前記位置決め部は、それぞれ異なる間隔で前記球体部を位置決めする
ことを特徴とする請求項４に記載の美顔器具。
【請求項６】
前記球体部は、ゴム製である
ことを特徴とする請求項１〜５のいずれかに記載の美顔器具。
【考案の詳細な説明】
【技術分野】
【０００１】
本考案は、顔面の贅肉部分を刺激して小顔にするための美顔器具に関する。
【背景技術】
【０００２】
顔面の贅肉部分を刺激して小顔にする器具は、例えば特許文献１に開示されている。この器具は、把持部と、把持部に対して回転可能に設けられた棒状のローラ部とを備える。さらに、ローラ部は、皮膚に接触する６面を備えており、各６面に粒状の半導体が取り付けられている。そして、使用者は、把持部を手で持って、ローラ部で顔面を刺激することで、小顔にすることができる。
【０００３】
しかし、この器具では、使用者が把持部を手で持って、ローラ部で顔面を刺激するので、手で器具を動かす手間がかかり、使用することが面倒になり、長続きしないという問題がある。また、この器具は、構造が複雑であって生産費用が高い問題もある。
【先行技術文献】
【特許文献】
【０００４】
【特許文献１】特開２００８−１１９１８１号公報
【考案の概要】
【考案が解決しようとする課題】
【０００５】
そこで、本考案が解決しようとする課題は、簡単に使用することができ、さらに、構造が複雑ではない美顔器具を提供することである。
【課題を解決するための手段】
【０００６】
上記課題を解決するために、本考案に係る美顔器具は、
柔軟性を有する複数の球体部と、
球体部を支持する基部と、
基部に設けられるとともに、各球体部を所定位置に位置決めする位置決め部と、を備え、
使用者の顔面の所定位置を各球体部に配置して、使用者の頭部の重量によって使用者の顔面を各球体部に押圧して刺激する。
【０００７】
好ましくは、
位置決め部は、断面が円弧形状で、球体部を嵌め込み可能な凹部からなる。
【０００８】
好ましくは、
球体部は、突起部を備えており、
位置決め部は、突起部を差し込み可能な穴部からなる。
【０００９】
好ましくは、
基部に設けられた複数の支持部を備え、
支持部は、伸縮自在に構成される。
【００１０】
好ましくは、
３つの基部を備えており、
各基部は、１２０度間隔で配置されており、
各基部に設けられた位置決め部は、それぞれ異なる間隔で球体部を位置決めする。
【００１１】
好ましくは、
球体部は、ゴム製である。
【考案の効果】
【００１２】
本考案は、簡単に使用することができ、さらに、構造が複雑ではない。
【図面の簡単な説明】
【００１３】
【図１】美顔器具を示す斜視図である。
【図２】美顔器具を示す側面図である。
【図３】第１基部及び第１球体部を示す断面図である。
【図４】第２基部及び第１球体部を示す平面図である。
【図５】（Ａ）は第２球体部を示す斜視図、（Ｂ）は第３基部を示す斜視図である。
【図６】使用状態を示し、（Ａ）は側面図、（Ｂ）は（Ａ）に示すＢ矢視図である。
【考案を実施するための形態】
【００１４】
以下、図面に基づいて、本考案に係る美顔器具の一実施形態を説明する。
【００１５】
図１に示す通り、美顔器具は、第１基部２１と、第２基部２２と、第２基部２３とを備える。各基部２１，２２，２３は、複数の支持部３で連結されている。図２に示す通り、各基部２１，２２，２３は、側面視において、所定角度θの間隔で配置される。角度θは、１２０度である。
【００１６】
図２に示す通り、美顔器具がテーブルＴに設置されると、２つの基部（例えば第２及び第３基部２２，２３）がテーブルＴに置かれて、残り１つの基部（例えば第１基部２１）がテーブルＴに対向して配置されて使用される。支持部３は、伸縮自在に構成されており、支持部３によって、使用される基部（例えば第１基部２１）の高さを調整できる。
【００１７】
図３に示す通り、第１基部２１は、２つの第１球体部１１を支持し、さらに、所定位置に位置決めする第１位置決め部２１０を有する。第１球体部１１は、球体形状で構成され、柔軟性を有しており、例えばゴムボールからなる。第１球体部１１の直径Ｄ１は、約７ｃｍからなる。
【００１８】
第１位置決め部２１０は、断面が円弧状で、第１球体部１１を嵌め込み可能な凹部で構成される。第１球体部１１は、第１位置決め部２１０に嵌め込まれたとき、それぞれに設けられた、例えば面ファスナーなどの着脱手段で位置決めされてもよい。第１位置決め部２１０は、２つの第１球体部１１の中心間の距離Ｗが約９ｃｍになるよう配置される。
【００１９】
図４に示す通り、第２基部２２は、２つの第１球体部１１を支持し、さらに、所定位置に位置決めする第２位置決め部２２０を有する。第２位置決め部２２０は、第１位置決め部２１０と同様に、断面が円弧状であって、第１球体部１１を嵌め込み可能な凹部で構成される。
【００２０】
第１球体部１１と第２位置決め部２２０とは、第１位置決め部２１０と同様に、例えば面ファスナーなどの着脱手段で位置決めされてもよい。第２位置決め部２２０は、２つの第１球体部１１がほぼ接するように配置される。
【００２１】
図５に示す通り、第３基部２３は、２つの第２球体部１２を支持し、さらに、所定位置に位置決めする第３位置決め部２３０を有する。第２球体部１２は、球体形状で構成され、柔軟性を有しており、例えばゴムボールからなる。図５（Ａ）に示す通り、第２球体部１２は、突起部１２０を備える。突起部１２０は、四角柱形状からなる。第２球体部１２の直径Ｄ２は、約１０ｃｍからなる。
【００２２】
第３位置決め部２３０は、第２球体部１２の突起部１２０を差し込み可能な２つの穴部で構成される。穴部は、突起部１２０の形状に適合した四角柱形状からなる。第３位置決め部２３０は、２つの第２球体部１２の中心間の距離が約１１ｃｍになるように配置される。
【００２３】
上記の通り、美顔器具は、第１、第２および第３基部２１，２２，２３によって、略正三角形状に構成されるので、安定的に設置することができる。さらに、第１、第２および第３基部２１，２２，２３は、異なる直径を有する球体部１１，１２を異なる距離で配置できる。
【００２４】
次に、使用状態を説明する。図６に示す通り、使用者４が美顔器具を使用するとき、美顔器具をテーブルＴに載置する。
【００２５】
第２基部２２および第３基部２３をテーブルＴに載置して、第１基部２１に２つの第１球体部１１を配置することができる。使用者４は、顔面４１の頬を第１球体部１１に配置して、使用者４の頭部４０（約５ｋｇ）、さらに、第1球体部１１の柔軟性によって、顔面４１の頬を第１球体部１１に押圧して刺激する。第１基部２１では、顔面４１の平均的な頬骨の幅に、各第１球体１１を配置するように構成されている。
【００２６】
これにより、顔面４１の頬の皮膚および筋肉が、頭部４１の後頭部方向に引っ張られるので、顔面４１の頬の筋肉（頬筋）がストレッチされる。また、使用者４が、口を大きく開け閉めすることで、ストレッチ効果が向上される。
【００２７】
また、第１基部２１および第３基部２３をテーブルＴに載置して、第２基部２２に２つの第１球体部１１を配置することができる。使用者４は、顔面４１の顎を第１球体部１１に配置して、使用者４の頭部４０および第１球体部１１の柔軟性によって、顔面４１の顎を第１球体部１１に押圧して刺激する。第２基部２２では、顔面４１の顎を各第１球体１１で挟むように構成されている。
【００２８】
これにより、頭部４０の重量および肩の重量が顔面４１の顎に負荷されるので、顔面４１の顎の皮膚および筋肉が、上下に引っ張られるので、顔面４１の顎の筋肉がストレッチされる。また、使用者４が、口を大きく開け閉めすることで、ストレッチ効果が向上される。
【００２９】
また、第１基部２１および第２基部２２をテーブルＴに載置して、第３基部２３に２つの第２球体部１２を配置することができる。使用者４は、顔面４１の頬から上部を第２球体部１２に配置して、使用者４の頭部４０および第２球体部１２の柔軟性によって、顔面４１の頬から上部を第２球体部１２に押圧して刺激する。第３基部２３では、顔面４１の頬より上部を各第２球体１２で挟むように構成されている。
【００３０】
これにより、顔面４１の目じり及び頬の皮膚および筋肉が、頭部４１の後頭部方向に引っ張られるので、顔面４１の目じり及び頬の筋肉（眼輪筋、大頬骨筋および頬筋等）がストレッチされる。また、使用者４が、口を大きく開け閉めすることで、ストレッチ効果が向上される。
【００３１】
本考案は、上記実施形態に限定されるものではなく、上記構成を適宜変更することもできる。例えば、以下のように変更して実施することもでき、以下の変更を組み合わせて実施することもできる。
・球体部はシリコン製などでもよく、球体部の素材は限定されない。
・美顔器具は、１つの基部を備え、基部の下部に複数の支持部を備えていてもよい。また、美顔器具は、２つの基部を備え、各基部を複数の支持部で連結してもよい。また、美顔器具は、４つ以上の基部を備えてもよい。
・位置決め部は、３つ以上の球体部を所定位置に位置決めしてもよい。また、位置決め部は、球体部を所定位置に位置決めできればよく、凹部や穴部に限らず、凸部や面ファスナーなどであってもよい。
・球体部の直径および間隔は限定されない。
・支持部３は、伸縮しなくてもよい。また、支持部３は、設けなくてもよい。
・上記実施形態では、美顔器具をテーブルＴに載置して使用しているが、美顔器具を床面に載置して、使用者が寝てうつ伏せになって使用してもよい。
【００３２】
本考案の効果について説明する。
・顔面器具において、使用者の顔面の所定位置を各球体部に配置して、使用者の頭部の重量および球体部の柔軟性によって使用者の顔面を球体部に押圧して刺激する。これによって、顔面をストレッチして小顔にすることができる。従って、手で顔面器具を動かす必要がなく、使用することが面倒になることがなく、長続きすることができる。また、この器具は、構造が簡単であって生産費用が安い効果もある。
・球体部が簡単に着脱できるので、洗浄および交換が容易である。
・球体部が柔軟性を有するので、使用者の顔面を効果的にストレッチできる。また、顔面の個人差による異なる大きさにも適合できる。
・球体部をゴム製にすると、顔面との摩擦を大きくできるので、顔面の皮膚を引っ張ることができる。
【符号の説明】
【００３３】
１１  第１球体部
１２  第２球体部
２１０  第１位置決め部
２２０  第２位置決め部
２３０  第３位置決め部
２１  第１基部
２２  第２基部
２３  第３基部
１２０  突起部
３  支持部
【図１】
0003222946.tif 000003
【図２】
0003222946.tif 000004
【図３】
0003222946.tif 000005
【図４】
0003222946.tif 000006
【図５】
0003222946.tif 000007
【図６】
0003222946.tif 000008